(57)【要約】本発明は温水の移動経路が一対に構成された組立式保温パネルに関し、パネルと、パネルの内側に少なくとも一対に構成された温水の移動経路を提供するようにそれぞれ設置される第１温水供給管及び第２温水供給管と、第１温水供給管及び第２温水供給管が温水を循環供給させるためにボイラーまたは他のパネル内に設置された第１温水供給管及び第２温水供給管にそれぞれ連結されるようにパネルに設けられる第１連結部及び第２連結部とを含む。従って、本発明はパネルに互いに異なる温水の移動経路をそれぞれ提供する一対の温水供給管とも暖房のために用いられることによって暖房效率を増大させ、熱可塑性のエラストマ（Ｅｌａｓｔｏｍｅｒ）で形成される温水供給管の内周面に活性剤ロジン（Ｒｏｓｉｎ）を有するポリブテン層が形成されることによって、耐熱性と耐候性の優れた温水供給管の二重排列構造を容易に形成させるとともに、温水供給管の配管間隔及び形態を自由にさせ、パネルに設けられる温水供給管の直径及び長さを減少できるようにすることによってパネルの厚さを減少させるとともにボイラーにかかる負荷を最小化する效果を奏する。
2012503165.tif 000002
【特許請求の範囲】
【請求項１】
組立式保温パネルにおいて、
設置面に排列される複数のパネルと；
前記パネルごとに内側にボイラーからそれぞれ供給される温水の移動経路が少なくとも一対で構成されるように設置される第１温水供給管及び第２温水供給管と；
前記第１温水供給管同士、また、前記第２温水供給管同士が互いに連結されて前記ボイラーにそれぞれ連結されることができるように前記パネルごとにそれぞれ設けられる第１連結部及び第２連結部と；
前記第１温水供給管を互いに連結させるとともに前記第２温水供給管を互いに連結させる複数の連結部材と；
前記連結部材によって連結される前記第１温水供給管及び第２温水供給管の両端を前記ボイラーにそれぞれ連結させることによって互いに異なる温水の循環経路がそれぞれ提供されるようにする温水供給用フィッティング部材及び温水還収用フィッティング部材と；を含む温水の移動経路が一対に構成された組立式保温パネル。
【請求項２】
前記第１温水供給管及び第２温水供給管は、ゴム材質の熱可塑性エラストマ（Ｅｌａｓｔｏｍｅｒ）で形成され、内周面に活性剤ロジン（Ｒｏｓｉｎ）を有するポリブテン層が形成されることを特徴とする請求項１に記載の温水の移動経路が一対に構成された組立式保温パネル。
【請求項３】
前記第１温水供給管及び第２温水供給管は、厚さが２〜４ｍｍに形成され、前記ポリブテン層の厚さが０．３〜０．７ｍｍであることを特徴とする請求項２に記載の温水の移動経路が一対に構成された組立式保温パネル。
【請求項４】
前記第１温水供給管及び第２温水供給管は、前記パネルの内部に互いに並んでジグザグに排列されるように設置されることを特徴とする請求項１に記載の温水の移動経路が一対に構成された組立式保温パネル。
【請求項５】
前記第１温水供給管及び第２温水供給管は、前記第１連結部及び第２連結部の間の温水の流れが互いに反対する方向を有するように連結されることを特徴とする請求項1乃至請求項４の中の何れか一項に記載の温水の移動経路が一対に構成された組立式保温パネル。
【請求項６】
前記第１連結部及び第２連結部は、前記パネルの対角線方向にそれぞれ設けられることを特徴とする請求項１に記載の温水の移動経路が一対に構成された組立式保温パネル。
【請求項７】
前記第１連結部及び第２連結部は、前記パネルに着脱可能に固定されるカバーによって開閉されることを特徴とする請求項1または請求項６に記載の温水の移動経路が一対に構成された組立式保温パネル。
【発明の詳細な説明】
【技術分野】
【０００１】
本発明は二列の温水供給管が内部に排列されることによって温水の移動経路が一対に構成された組立式保温パネルに関し、さらに詳しくは、パネルの内部に少なくとも一対の温水供給管がジグザグに一体に排列されながら、全ての温水供給管が温水を供給する管の機能をするとともに還収のための管の機能をするようになって暖房の效率及び熱效率が優れ、このような温水供給管が他のパネルの温水供給管に容易にそれぞれ連結されることによって施工性の優れた温水の移動経路が一対に構成された組立式保温パネルに関する。
【背景技術】
【０００２】
一般に、オンドル方式は韓国固有の暖房方法で、韓民族の生活習慣と密接な関係があり、昔から現在まで広く使われている。
【０００３】
オンドル方式の原理は熱伝導を利用したもので、床の下に設置されたオンドル石に火気を付与することによって温度が高くなったオンドル石から放出する熱で暖房が行われるようにする。
【０００４】
このようなオンドル方式は現在改良を経て発展し、その一例として改良されたオンドル方式として底に温水パイプを埋設してボイラーによって加熱される温水を温水パイプに流れるようにすることによって暖房をする方式がある。
【０００５】
このような改良式オンドル方式は、通常セメントモルタルを使用し、このようなセメントモルタルを利用した暖房工事はセメントの養生に所要される期間が長くて他の工事との干渉が大きいとともに、寒い冬には工事が制限される問題点があった。
【０００６】
そこで、このような問題点を解決するために、床板、石板、鋼板、壮版、パネルなどのような乾式資材のオンドル板を使ってオンドル面を仕上げる方式が開発され、これに対して図面を参照して説明すれば以下の通りである。
【０００７】
図１は従来の技術による保温パネルを示す平面図で、図２は従来の技術による保温パネルを示す断面図である。図示したように、従来の技術による保温パネル１は内側に単一の温水供給管２が一体に排列して固定される。
【０００８】
温水供給管２はパネル１の内部に収容され、一側が温水供給に使用されるために湾曲されるように配管され、他側が還収に使用されるために使用されるために直列に配管される。
【０００９】
このような従来の保温パネル１は床に複数排列させた後、温水供給管２を互いに連結する別途の作業を通じて完成する。
【発明の概要】
【発明が解決しようとする課題】
【００１０】
上述したように、従来の技術による保温パネルは温水供給管の材質特性及び単一の排列によって配管が特定の間隔しか施工できなく、配管形態の変形に制限があり、複数の暖房先に分配される供給管や還収管の連結配管が別途に行われるという問題点があった。例えば、パネルの内部に収容される温水供給管に使用されるエクセルパイプの場合、一側は温水供給のために湾曲して配管され、他側は還収のために直列に配管され、特に温水供給管を一列にだけ使用する場合エクセルパイプの折れ制限によって配管の間隔を縮小することが困難であるとともに、配管の形態を多様に具現することが困難であるため、熱效率及び暖房效率が低下される構造を有するしかないという問題点を有する。
【００１１】
また、通常使用されるエクセルパイプの場合、外径が大きいため、エクセルパイプを収容して固定させるパネルの厚さも厚くなるしかなく、このようなエクセルパイプを連結させる作業が煩雑であり、このような理由によって施工に所要される努力及び時間が増大されて施工性が顕著に低下されるという問題点を有している。
【００１２】
本発明は上記のような問題点を解決するために案出されたもので、パネルに温水の供給及び還収のいずれにも使用される温水供給管が少なくとも一対に構成されることによって暖房效率及び熱效率を向上させ、温水供給管の直径及び長さを減少させることができるようにして、パネルのコンパクト化が可能にするとともに、施工性を向上させる。
【課題を解決するための手段】
【００１３】
本発明による温水の移動経路が一対に構成された組立式保温パネルは、組立式保温パネルにおいて、パネルと、パネルの内側に少なくとも一対に構成された温水の移動経路を提供するようにそれぞれ設置される第１温水供給管及び第２温水供給管と、第１温水供給管及び第２温水供給管が温水を循環供給させるためにボイラーまたは他のパネル内に設置された第１温水供給管及び第２温水供給管にそれぞれ連結されるようにパネルに設けられる第１連結部及び第２連結部とを含む。
【発明の効果】
【００１４】
本発明による温水の移動経路が一対に構成された保温パネルは、
【００１５】
第一、パネルに互いに異なる温水の移動経路をそれぞれ提供する少なくとも一対の温水供給管とも暖房のために使用されることによって暖房效率を増大させ、
【００１６】
第二、パネルに温水の移動経路が少なくとも一対に構成されることによって、移動経路それぞれに沿って循環供給される温水が互いに熱を提供することによって冷却を最小化して熱效率を極大化させるとともに電力の消耗を減少させ、
【００１７】
第三、熱可塑性のエラストマ（Ｅｌａｓｔｏｍｅｒ）で形成される温水供給管の内周面に活性剤ロジン（Ｒｏｓｉｎ）を有するポリブテン層が形成されることによって、耐熱性と耐候性が優れた温水供給管の二重排列構造を容易に形成させるとともに、温水供給管の配管間隔及び形態を自由にさせ、
【００１８】
第四、パネルに設けられる温水供給管の直径及び長さを縮小できるようにすることによって、パネルの厚さを減少させるとともに、ボイラーにかかる負荷を最小化して、温水供給管を通じて循環される温水の流速が増大されることによって、暖房が迅速で且つ均一に行われるようにし、
【００１９】
第五、パネルの排列の時、温水供給管の連結作業が容易で且つ施工性が優れるようにする效果を奏する。
【図面の簡単な説明】
【００２０】
【図１】従来の技術による保温パネルを示す平面図である。
【図２】従来の技術による保温パネルを示す断面図である。
【図３】本発明の第１実施形態による温水の移動経路が一対に構成された組立式保温パネルを示す分解斜視図である。
【図４】本発明の第１実施形態による温水の移動経路が一対に構成された組立式保温パネルを示す平面図である。
【図５】図４のＡ−Ａ′線に沿う断面図である。
【図６】本発明の第１実施形態による温水の移動経路が一対に構成された組立式保温パネルの使用状態を示す平面図である。
【図７】本発明の第１実施形態による温水の移動経路が一対に構成された組立式保温パネルの温水の流れを示す平面図である。
【図８】本発明の第１実施形態による温水の移動経路が一対に構成された組立式保温パネルの連結部材を示す斜視図である。
【図９】本発明の第２実施形態による温水の移動経路が一対に構成された組立式保温パネルを示す分解斜視図である。
【図１０】本発明の第２実施形態による温水の移動経路が一対に構成された組立式保温パネルを示す平面図である。
【図１１】本発明の第２実施形態による温水の移動経路が一対に構成された組立式保温パネルの使用状態を示す斜視図である。
【図１２】本発明の第２実施形態による温水の移動経路が一対に構成された組立式保温パネルの他の使用状態を示す平面図である。
【図１３】本発明の第３実施形態による温水の移動経路が一対に構成された組立式保温パネルを示す平面図である。
【図１４】本発明の第３実施形態による温水の移動経路が一対に構成された組立式保温パネルの使用状態を示す平面図である。
【図１５】本発明による温水の移動経路が一対に構成された組立式保温パネルと従来の保温パネルの作用を比べるための平面図である。
【発明を実施するための形態】
【００２１】
以下、本発明の好ましい実施形態を添付図面を参照して詳しく説明する。本発明を説明するにおいて、係わる公知の構成または機能に対する具体的な説明が本発明の要旨を曖昧にする可能性があると判断される場合にはその詳細な説明を省略する。
【００２２】
図３は本発明の第１実施形態による温水の移動経路が一対に構成された組立式保温パネルを示す分解斜視図であり、図４は本発明の第１実施形態による温水の移動経路が一対に構成された組立式保温パネルを示す平面図である。図示したように、本発明による温水の移動経路が一対に構成された組立式保温パネル１０は、設置面に排列される複数のパネル１１と、パネル１１ごとに内側にボイラー２０（図１２、図１４及び図１５に図示）からそれぞれ供給される温水の移動経路が少なくとも一対に構成されるように設置される第１温水供給管１２及び第２温水供給管１３と、第１温水供給管１２同士、また、第２温水供給管１３同士が互いに連結されてボイラー２０（図１２、図１４及び図１５に図示）にそれぞれ連結できるようにパネル１１ごとにそれぞれ設けられる第１連結部１４及び第２連結部１５と、第１温水供給管１２を互いに連結させるとともに第２温水供給管１３を互いに連結させる複数の連結部材１６（図６、図８、図１２、図１４及び図１５に図示）と、連結部材１６によって連結される第１温水供給管１２及び第２温水供給管１３の両端をボイラー２０にそれぞれ連結させることによって互いに異なる温水の循環経路がそれぞれ提供されるようにする温水供給用フィッティング部材２１（図６、図７、図１２、図１４及び図１５に図示）と、温水還収用フィッティング部材２２（図６、図７、図１２、図１４及び図１５に図示）とを含む。
【００２３】
パネル１１は、設置面に複数に排列されることによって暖房のための面を提供し、内部に第１温水供給管１２及び第２温水供給管１３がそれぞれ収容されるために多様な構造を有することができるが、好ましくは、図５に示したように、側部と上部が亜鉛鋼板１１ａで形成され、亜鉛鋼板１１ａの内部に第１温水供給管１２及び第２温水供給管１３が間隔を隔てて設置されるとともに、ポリウレタンフォーム１１ｂが設置され、ポリウレタンフォーム１１ｂの下面にクリプト防湿紙１１ｃが設置される。
【００２４】
第１温水供給管１２及び第２温水供給管１３はパネル１１の内側に設置されて互いに異なる温水の移動経路をそれぞれ提供することによって、パネル１１が一対または複数対の温水移動経路を有することになり、それぞれは温水の供給のための管と還収のための管として機能を同時にし、パネル１１の全体にかけて温水による暖房を均一に行うように互いに並んでジグザグに排列されるように設置される。
【００２５】
第１温水供給管１２及び第２温水供給管１３はゴム材質の熱可塑性エラストマ（Ｅｌａｓｔｏｍｅｒ；ＴＰＶ）で形成され、圧出成型器を利用して内周面に活性剤ロジン（Ｒｏｓｉｎ）を有するポリブテン層１２ａ、１３ａが形成され、これによって耐熱性及び耐候性が優れて、高温の温水に耐えるとともに、内部における錆及びスケールの発生を防止し、且つ熱伝逹が優れて、暖房に所要される省エネルギー及び暖房の迅速性を増大させ、伸縮性が優れて配管間隔及び形態を自由にすることができる。
【００２６】
一方、第１温水供給管１２及び第２温水供給管１３は厚さが２〜４ｍｍ、好ましく３ｍｍに形成され、ポリブテン層１２ａ、１３ａの厚さが０．３〜０．７ｍｍ、好ましく０．５ｍｍで形成される。
【００２７】
第１温水供給管１２及び第２温水供給管１３は、図６及び図７に示したように、第１連結部１４及び第２連結部１５によってボイラー２０（図１２、図１４及び図１５に図示）または他のパネル１１内に設置された第１温水供給管１２及び第２温水供給管１３にそれぞれ連結され、これによりボイラー２０から供給される温水が循環して再びボイラー２０に還収される少なくとも一対の温水移動経路が第１温水供給管１２と第２温水供給管１３によってそれぞれ提供される。
【００２８】
第１連結部１４及び第２連結部１５は、第１温水供給管１２及び第２温水供給管１３の両端をボイラー２０（図１２、図１４及び図１５に図示）または他のパネル１１内に設置された第１温水供給管１２及び第２温水供給管１３にそれぞれ連結させるためにパネル１１に設けられる。即ち、第１温水供給管１２及び第２温水供給管１３のそれぞれは、その両端が第１連結部１４及び第２連結部１５によってボイラー２０または他のパネル１１内に設置された第１温水供給管１２及び第２温水供給管１３に連結され、この時、図６または図８に示された別途の連結部材１６を利用して第１温水供給管１２を互いに連結させるとともに第２温水供給管１３を互いに連結させる。
【００２９】
第１連結部１４及び第２連結部１５は、一例として、パネル１１から第１温水供給管１２及び第２温水供給管１３の端部を露出させる開口、開放溝などの構造を有し、パネル１１に着脱可能に固定されるカバー１４ａ、１５ａによって開閉され、このようなカバー１４ａ、１５ａは内側に形成される固定具（図示省略）がパネル１１の内部に形成される係止溝（図示省略）に一体に組み立てられながら着脱可能に固定される構成を有することができる。
【００３０】
第１温水供給管１２及び第２温水供給管１３は、それぞれ異なる温水の移動経路を有することによって、パネル１１の内部に暖房のための温水の移動経路が少なくとも一対に構成されるために互いに連結される第１温水供給管１２の両端はもちろん互いに連結される第２温水供給管１３の両端が温水供給用フィッティング部材２１と温水還収用フィッティング部材２２によってボイラー２０（図１２、図１４及び図１５に図示）に連結される。一方、温水供給用フィッティング部材２１は温水還収用フィッティング部材２２と同じく第１温水供給管１２及び第２温水供給管１３が同時に連結されるようにために両端が分岐された構造を有してもよい。
【００３１】
第１温水供給管１２及び第２温水供給管１３は、図７Ａに示したように、第１連結部１４及び第２連結部１５の間の温水の流れが同じ方向を有するように、ボイラー２０（図１２、図１４及び図１５に図示）に連結されるようにすることができるが、これと異なって、図７Ｂに示すように、第１連結部１４及び第２連結部１５の間の温水の流れが互いに反対する方向を有するようにボイラー２０に連結されることができる。
【００３２】
図７Ｂのように、第１連結部１４を通じて第２温水供給管１３に温水が供給される場合、第１温水供給管１２から第１連結部１４を通じて温水が還収されるようにし、逆に、第１連結部１４を通じて第１温水供給管１２に温水が供給される場合、第２温水供給管１３から第１連結部１４を通じて温水が還収されるようにし、このような温水の供給及び還収は第２連結部１５にも対応して適用されることができ、このように第１温水供給管１２及び第２温水供給管１３を通じる温水の移動が互いに反対する方向を有するようにして暖房が迅速で且つ均一に行われることができる。
【００３３】
第１連結部１４及び第２連結部１５は本実施形態のように互いに隣接する角部に設けられたり、これと異なって、パネル１１で一つの辺にともに設けられたり、各辺にそれぞれ設けられるなどその位置が多様であってもよく、図９〜図１２に示した第２実施形態による温水の移動経路が一対に構成された組立式保温パネル１０′のように、第１連結部１４及び第２連結部１５は排列されるパネル１０′にそれぞれ設けられる第１温水供給管１２と第２温水供給管１３の連結を有利にするためにパネル１０′の対角線方向にそれぞれ設けられることができる。
【００３４】
パネル１１は、第１実施形態による温水の移動経路が少なくとも一対に構成された組立式保温パネル１０と、図１３に示した第３実施形態による温水の移動経路が少なくとも一対に構成された組立式保温パネル１０″と同じく矩形に形成されてもよく、前記の第２実施形態による温水の移動経路が少なくとも一対に構成された組立式保温パネル１０′と同じく正方形に形成されてもよく、これに限定されないで、組み立ての時、暖房のための面積を提供するために多角形を含めた多様な図形に形成されてもよい。また、図１４に図示したように、互いに異なる形状や規格の組立式保温パネル１０′、１０″からなるように組み合わせることもできる。
【００３５】
このような構成を有する本発明による温水の移動経路が少なくとも一対に構成された組立式保温パネルの作用を説明すれば下記の通りである。
【００３６】
図６及び図７、図１１及び図１２に図示したように、互いに同じ形状の組立式保温パネル１０、１０′を排列したり、図１４に図示したように、異なる形状のパネル１０′、１０″を排列した後、第１連結部１４及び第２連結部１５を通じてフィッティング部材２１、２２及び連結部材１６を利用して第１温水供給管１２同士、また、第２温水供給管１３同士をボイラー２０に連結させることによって温水が循環されるために移動する経路が互いに異にするように少なくとも一対に構成される。従って、ボイラー２０から供給されて循環される温水が第１温水供給管１２に沿って移動するとともに第２温水供給管１３に沿って移動することによって暖房效率が増大され、移動経路それぞれに沿って循環供給される温水が互いに熱が提供されることによって容易に冷却されなくなって熱效率を極大化させる。
【００３７】
従って、図１５Ａのように、従来の保温パネルの場合、単一の温水供給管を通じて温水を供給することによって温水供給側と温水還収側の温度差が大きいことに比べて、図１５Ｂのように、本発明による温水の移動経路が少なくとも一対に構成された組立式保温パネルの場合、温水の移動経路が少なくとも一対に構成されることによって、ボイラー２０を通じる温水の供給の時迅速で且つ均一な暖房が行われる。
【００３８】
このように、従来の保温パネルは、温水供給管の開始部分が温水供給管の一方向で温水が流れ出る１列暖房であるため、温水供給管の長さが長くなるしかなく、温水供給管、例えば、エクセルホースの中の水が多くて暖房時間が長くかかってエネルギーの效率を極大化することができなく、暖房をして戻り、再びボイラーで加熱された水が流れる構造である。従って、開始部位の側の暖房は暖かいが、ボイラーに戻る側の温水供給管の温度は相対的に低いという短所があり、冷やされた温水がボイラーで戻るのに十分な時間が必要になる。このような短所を解決して二重圧出による一対の温水供給管１２、１３を適用した本発明は、温水供給管１２、１３内の水の量が相対的に少なく、温水流れの開始が左右両方で均等に始めて迅速に暖房できるようにするとともに、全体的な暖房が可能にし、一対の温水循環によって従来の単一の経路による温水暖房に比べて同じ範囲を暖房するための熱效率が優れるとともに省エネルギー化が図れる。
【００３９】
即ち、従来の単一配管を有する保温パネルに比べて、配管密度及び暖房效率が増大されるので、パネル１１に設けられる第１温水供給管１２及び第２温水供給管１３の直径及び長さを減少させることができるので、パネル１１の厚さを減少させるとともに、ボイラー２０にかかる負荷を最小化し、第１温水供給管１２及び第２温水供給管１３を通じて循環される温水の流速が増大されることによって暖房が速かに行われる。
【００４０】
また、従来の単一配管を有する温水パネルは、一枚あたりの内径が１２ｍｍ、長さ１０ｍの温水供給管を使用する場合、このような温水供給管内の温水量（３．１４×０．６×０．６×１，０００）を計算すれば約１．１３ｍｌの水を使用し、これに対して、本発明による組立式保温パネル１０は上記した従来の保温パネルのような暖房範囲を有するようにする場合、内径が７．５ｍｍ、長さ６．５ｍの第１温水供給管１２及び第２温水供給管１３を使用することができ、このような第１温水供給管１２及び第２温水供給管１３内の温水量（３．１４×０．３７５×０．３７５×６５０×２）を計算すれば、約０．５７ｍｌの温水を使用する。従って、一坪あたり２枚の保温パネルが使用される場合、坪当たり用いる水の量も本発明の組立式保温パネルが従来の保温パネルに比べて顕著に少ない量を使用するとともにこれによって同じな容量のボイラーを使用する場合、２倍に近い暖房ができる。
【００４１】
また、第１温水供給管１２及び第２温水供給管１３が熱可塑性のエラストマ（Ｅｌａｓｔｏｍｅｒ）で形成されるとともに内周面に活性剤ロジン（Ｒｏｓｉｎ）を有するポリブテン層１２ａ、１３ａが形成されることによって、耐熱性及び耐候性の優れた温水供給管の二重排列構造を容易に形成させ、同時に第１温水供給管１２及び第２温水供給管１３の配管間隔及び形態が自由にさせて、第１温水供給管１２及び第２温水供給管１３の配管密度を容易に増大させることができ、これによって暖房效率を向上させることに有利である。
【００４２】
また、本発明による温水の移動経路が少なくとも一対に構成された組立式保温パネル１０、１０′、１０″の排列の時、第１温水供給管１２及び第２温水供給管１３の連結作業が容易で且つ施工性が優れる。
【００４３】
以上のように、本発明の詳細な説明で具体的な実施形態について説明したが、本発明の技術が当業者によって容易に変形実施される可能性があることは自明であり、このような変形された実施形態は本発明の特許請求の範囲に記載された技術思想に含まれることは当然である。
【符号の説明】
【００４４】
１１：パネル
１１ａ：亜鉛鋼板
１１ｂ：ポリウレタンフォーム  
１１ｃ：クリプト防湿紙
１２：第１温水供給管  
１２ａ、１３ａ：ポリブテン層
１３：第２温水供給管  
１４：第１連結部
１４ａ、１５ａ：カバー  
１５：第２連結部
１６：連結部材  
２０：ボイラー
２１：温水供給用フィッティング部材  
２２：温水還収用フィッティング部材
【図１】
2012503165.tif 000003
【図２】
2012503165.tif 000004
【図３】
2012503165.tif 000005
【図４】
2012503165.tif 000006
【図５】
2012503165.tif 000007
【図６】
2012503165.tif 000008
【図７（Ａ）】
2012503165.tif 000009
【図７（Ｂ）】
2012503165.tif 000010
【図８】
2012503165.tif 000011
【図９】
2012503165.tif 000012
【図１０】
2012503165.tif 000013
【図１１】
2012503165.tif 000014
【図１２】
2012503165.tif 000015
【図１３】
2012503165.tif 000016
【図１４】
2012503165.tif 000017
【図１５】
2012503165.tif 000018
【国際調査報告】
2012503165.tif 000019
2012503165.tif 000020
2012503165.tif 000021
2012503165.tif 000022